(57)【特許請求の範囲】
【請求項１】
選択対象となる複数の選択項目の画像を液晶ディスプレイに表示し、前記複数の選択項目からいずれか１つを選択するための方向スイッチへの操作を通じて、当該１つを選択させる車両用操作表示装置であって、
前記方向スイッチを介して、選択中の選択項目から前記液晶ディスプレイに表示される画像上において隣合う他の選択項目に変更する操作が行われ、その旨の信号が入力された場合、変更元の選択項目と変更先の選択項目との画像間に選択項目の移動変更を示す移動画像を表示させる表示制御手段を備え、
前記表示制御手段は、現在選択中である選択項目を示す１つの枠画像を、前記変更元の選択項目と変更先の選択項目との中心から隔たった位置に、前記移動画像として表示させる
ことを特徴とする車両用操作表示装置。
【請求項２】
前記表示制御手段は、車両における物理量を示す計器装置の表示領域内において、車両内における温度、風量及び風向の設定に関する温度項目、風量項目、及び風向項目の画像を前記複数の選択項目の画像として含むヒーコン画像を表示させる
ことを特徴とする請求項１に記載の車両用操作表示装置。
【発明の詳細な説明】
【技術分野】
【０００１】
本発明は、車両に搭載され、操作者からの操作に応じて液晶ディスプレイへの表示内容を制御する車両用操作表示装置に関する。
【背景技術】
【０００２】
従来、車両に搭載され、液晶ディスプレイへの画像表示により車両搭乗員に対して情報を提供する車両用表示装置が提案されている。この車両用表示装置には、液晶ディスプレイにエアコンの設定情報を表示して車両搭乗員に提供するものもある（例えば特許文献１参照）。
【先行技術文献】
【特許文献】
【０００３】
【特許文献１】特開２００９−１９６５９４号公報
【発明の概要】
【発明が解決しようとする課題】
【０００４】
ここで、液晶ディスプレイには、選択対象となる複数の選択項目の画像が表示されることがある。例えば液晶ディスプレイがエアコンの設定に関する表示を行っている場合において、設定温度の画像、風量の画像、風向の画像が選択項目の画像として表示される。ユーザは、操作部への操作によって、これらの選択項目からいずれか１つを選択することができ、更なる操作によって選択項目の内容を変更することができる。一例を挙げると、ユーザは操作部への操作によって設定温度を選択でき、更なる操作部への操作によって設定温度を変更することができる。
【０００５】
しかし、このような車両用操作表示装置は、選択中の選択項目から隣合う他の選択項目に変更する操作があった場合、操作時の操作感を表現しておらず、操作した者に操作した感覚を視覚的に伝え難くなっている。
【０００６】
なお、この問題は、エアコンの設定に関する複数の選択項目からいずれか１つを選択する場合に限らず、他の選択項目（例えばナビにおける行先項目）からいずれか１つを選択する操作を行った場合等においても共通する問題である。
【０００７】
本発明は、このような問題を解決するものであり、その目的とするところは、操作した感覚を視覚的に伝えることができる車両用操作表示装置を提供することにある。
【課題を解決するための手段】
【０００８】
本発明に係る車両用操作表示装置は、選択対象となる複数の選択項目の画像を液晶ディスプレイに表示し、前記複数の選択項目からいずれか１つを選択するための方向スイッチへの操作を通じて、当該１つを選択させる車両用操作表示装置であって、前記方向スイッチを介して、選択中の選択項目から前記液晶ディスプレイに表示される画像上において隣合う他の選択項目に変更する操作が行われ、その旨の信号が入力された場合、変更元の選択項目と変更先の選択項目との画像間に選択項目の移動変更を示す移動画像を表示させる表示制御手段を備え、前記表示制御手段は、現在選択中である選択項目を示す１つの枠画像を、前記変更元の選択項目と変更先の選択項目との中心から隔たった位置に、前記移動画像として表示させることを特徴とする。
【０００９】
この車両用操作表示装置によれば、選択中の選択項目から液晶ディスプレイに表示される画像上において隣合う他の選択項目に変更する操作があった場合、変更元の選択項目と変更先の選択項目との画像間に選択項目の移動変更を示す移動画像を表示させるため、操作者には移動変更を示す移動画像が認識されることとなり、操作者に対して操作した感覚を視覚的に伝えることができる。さらに、枠画像の中心点を変更元の選択項目と変更先の選択項目との中心上に表示させる場合よりも、変更元の選択項目の画像から変更先の選択項目の画像への移動感をより演出することができる。
【００１２】
また、本発明に係る車両用操作表示装置において、前記表示制御手段は、前記車両における物理量を示す計器装置の表示領域内において、車両内における温度、風量及び風向の設定に関する温度項目、風量項目、及び風向項目の画像を前記複数の選択項目の画像として含むヒーコン画像を表示させることが好ましい。
【００１３】
この車両用操作表示装置によれば、表示制御手段は、計器装置の表示領域内において、温度項目、風量項目、及び風向項目の画像を複数の選択項目の画像として含むヒーコン画像を表示させる。このため、ヒーコン画像は、例えば計器画像と並んで、又は、計器画像の一部又は全部が消去されて消去された領域内に表示されることとなる。ここで、計器画像は車両運転者にとって視認し易い箇所に表示されていることから、ヒーコン画像についても車両運転者にとって視認し易い箇所に表示されることとなり、エアコン設定の選択項目の移動について、より一層操作者に対して操作した感覚を視覚的に伝えることができる。
【発明の効果】
【００１４】
本発明の車両用操作表示装置によれば、操作した感覚を視覚的に伝えることができる。
【図面の簡単な説明】
【００１５】
【図１】本発明の実施形態に係る車両用操作表示装置を示すブロック図である。
【図２】図１に示した第１表示装置の正面図である。
【図３】図１に示した第１表示装置の第３表示領域における表示画像の例を示す図である。
【図４】図１に示した操作部と第２表示装置との一例を示す正面図である。
【図５】図３に示した回転操作スイッチの左側押圧操作時における第１表示装置の表示画像を示す第１の図である。
【図６】図３に示した回転操作スイッチの左側押圧操作時における第１表示装置の表示画像を示す第２の図である。
【図７】図３に示した回転操作スイッチの左側押圧操作時における第１表示装置の表示画像を示す第３の図である。
【発明を実施するための形態】
【００１６】
以下、本発明をその好適な実施形態に沿って説明するが、本発明は以下に示す実施形態に限られるものではなく、本発明の趣旨を逸脱しない範囲において適宜変更可能である。
【００１７】
図１は、本発明の実施形態に係る車両用操作表示装置を示すブロック図である。図１に示す車両用操作表示装置１は、車両に搭載され、操作者からの操作に応じて表示内容を制御するものであって、操作部１０と、制御部２０と、第１及び第２表示装置３０，４０と、車内機器５０とを備えている。
【００１８】
操作部１０は、車両搭乗員からの操作を受け付けるものであり、車両搭乗員からの操作に基づく操作信号を制御部２０に送信する。制御部２０は、表示制御部（表示制御手段）２１を有し、入力した操作信号に基づいて第１及び第２表示装置３０，４０に表示される表示内容を制御するものである。
【００１９】
第１表示装置３０は、例えばＴＦＴ−ＬＣＤ（Thin Film Transistor Liquid Crystal Display：液晶ディスプレイの一例）が設けられた車両用の計器装置である。表示制御部２１は、第１表示装置３０に、速度、及びエンジン回転数などの車両における物理量（例えば車速、エンジン回転数）を示す情報、並びに、各種警報などの注意喚起情報を表示させる。
【００２０】
図２は、図１に示した第１表示装置３０の正面図である。図２に示すように第１表示装置３０は、向かって左側にブレーキ、エンジン、バッテリ等の警報を示す表示灯やライトの点灯状態を示す表示灯を含む第１表示領域３０ａを有し、向かって右側に車速、残燃料等の車両物理量の表示領域や、方向指示器及び各種警報を示す表示灯を含む第２表示領域３０ｂを有している。
【００２１】
さらに、第１表示装置３０は、第１表示領域３０ａと第２表示領域３０ｂとの間に、第３表示領域３０ｃとなるＴＦＴ−ＬＣＤが設けられている。
【００２２】
再度図１を参照する。第２表示装置４０は、例えば操作部１０と一体に設けられる表示装置である。本実施形態において操作部１０がエアコン設定（設定温度、風量及び風向など）に関する操作を行う部位である場合、第２表示装置４０はエアコン設定に関する画像を表示するものとして機能する。
【００２３】
車内機器５０は、エアコン機器や、オーディオ機器等の車両内に設けられる機器である。なお、以下において車内機器５０はエアコン機器であるものとして説明し、符号についてもエアコン機器５０とする。
【００２４】
図３は、図１に示した第１表示装置３０の第３表示領域３０ｃにおける表示画像の例を示す図である。図３に示すように、表示制御部２１は、第１表示装置３０の第３表示領域３０ｃに対してヒーコン画像を表示させる。このヒーコン画像は、計器画像の脇に計器画像と並んで表示される第３表示領域３０ｃに表示される場合に限らず、第２表示領域３０ｂの車速、残燃料及びシフト位置の表示の一部又は全部が消去されて消去された領域内に表示されてもよい。すなわち、ヒーコン画像は、計器装置である第１表示装置３０の表示領域３０ａ〜３０ｃ内のいずれかに表示されればよく、その表示方法は問われるものではない。
【００２５】
ヒーコン画像は、車両内における風量、温度、及び風向の設定に関する風量項目、温度項目、及び風向項目の画像３１〜３３を含むものであり、表示制御部２１は、例えば向かって左側から風量項目の画像３１、温度項目の画像３２、及び風向項目の画像３３の順に並べて表示させている。なお、ヒーコン画像の下部には、オドメータ画像３４及び燃費表示画像３５についても表示されている。
【００２６】
さらに、表示制御部２１は、現在選択中である選択項目を示す枠画像３６についても表示している。図３に示す例において枠画像３６は温度項目の画像３２上に位置している。このため、制御部２０は設定温度の変更操作を受け付けている状態となっている。すなわち、この状態において操作部１０に対して更なる操作が行われると、設定温度は現在よりも高く又は低くされることとなる。
【００２７】
図４は、図１に示した操作部１０と第２表示装置４０との一例を示す正面図である。図４に示すように、操作部１０と第２表示装置４０とを一体としたユニットＹは、例えばインストルメントパネルの中央部に位置するセンタークラスタ部分に設けられている。
【００２８】
操作部１０は、ユニットＹの下部に設けられており、回転操作スイッチ（方向スイッチ）１１と、押しボタン１２ａ〜１２ｆとで構成されている。
【００２９】
回転操作スイッチ１１は、１）中央への押圧操作、２）左右への押圧操作、及び、３）回転操作を可能としたスイッチである。
【００３０】
この回転操作スイッチ１１の中央に対して押圧操作が行われた場合、その旨の信号が制御部２０に入力され、制御部２０は、エアコン機器５０がオート設定されたと判断する。これにより制御部２０は、予め設定される設定温度となるような最適条件を算出し、この条件に応じてエアコン機器５０を制御する。
【００３１】
また、回転操作スイッチ１１の左右に対して押圧操作が行われた場合、その旨の信号が制御部２０に入力され、制御部２０は、選択中の選択項目から隣合う他の選択項目に変更する操作があったと判断する。例えば図３に示す状態において回転操作スイッチ１１の左に対して押圧操作が行われた場合、制御部２０は、選択中である設定温度の選択項目から風量の選択項目に変更する操作があったと判断する。そして、この変更に応じて制御部２０の表示制御部２１は、第１表示装置３０の表示内容を制御する。なお、この操作時の表示内容の詳細については、図５及び図６を参照して後述する。
【００３２】
また、回転操作スイッチ１１が回転操作された場合、その旨の信号が制御部２０に入力され、制御部２０は、回転方向と回転量に応じた制御を行う。例えば、制御部２０が現在設定温度の変更操作を受け付けている場合において、反時計回りに回転操作スイッチ１１が操作されたとすると、現在の設定温度から、回転量に応じた温度分を減算し、減算した温度に応じてエアコン機器５０を制御する。逆に、時計回りに回転操作スイッチ１１が操作されたとすると、現在の設定温度から、回転量に応じた温度分を加算し、加算した温度に応じてエアコン機器５０を制御する。さらに、回転操作スイッチ１１が回転操作された場合、制御部２０の表示制御部２１は、第１及び第２表示装置３０，４０に表示される例えば設定温度の表示（図３において２１．５℃、図４において２８．０℃）を変更する。
【００３３】
押しボタン１２ａ〜１２ｆは、押圧操作を受け付けるスイッチである。これらの押しボタン１２ａ〜１２ｆのうち、第１〜第３押しボタン１２ａ〜１２ｃが回転操作スイッチ１１の左側（向かって左側）に配置され、第４〜第６押しボタン１２ｄ〜１２ｆが回転操作スイッチ１１の右側（向かって右側）に配置されている。
【００３４】
詳細に第１押しボタン１２ａは、エアコン機器５０の冷房除湿機能をオンオフするためのボタンであり、第２押しボタン１２ｂは、花粉除去機能をオンオフするためのボタンであり、第３押しボタン１２ｃは、送付を停止するためのボタンである。また、第４押しボタン１２ｄは、フロントガラスの曇り取り機能をオンオフするためのボタンであり、第５押しボタン１２ｅは、リアガラスの曇り取り機能をオンオフするためのボタンであり、第６押しボタン１２ｆは、外機導入と内気循環とを切り替えるためのボタンである。
【００３５】
これらの押しボタン１２ａ〜１２ｆのいずれか１つでも押圧されると、その旨の信号が制御部２０に入力される。制御部２０は、押圧された押しボタン１２ａ〜１２ｆの内容に沿った制御を行う。
【００３６】
第２表示装置４０は、ユニットＹの操作部１０よりも上部に設けられた液晶表示部である。この第２表示装置４０には、現在の風量を示す風量表示画像４１と、現在の設定温度を示す設定温度表示画像４２と、現在開放されている吹き出し口を示す吹き出し口表示画像４３と、現在の外気温を示す外気温表示画像４４とが表示されている。
【００３７】
次に、車両用操作表示装置１の操作時における表示制御方法を説明する。図５は、図３に示した回転操作スイッチ１１の左側押圧操作時における第１表示装置３０の表示画像を示す第１の図である。このような車両用操作表示装置１において中央の選択項目である温度項目の画像３２上に枠画像３６が位置している場合（図３に示す場合）、回転操作スイッチ１１の左側が押圧操作されたとする。この場合、表示制御部２１は、枠画像３６を左側に隣合う風量項目の画像３１上に移動させる（図５参照）。
【００３８】
しかし、このような表示を行った場合、操作した感覚を視覚的に伝えることができない。そこで、本実施形態において表示制御部２１は、図３に示す表示から、図５に示す表示に移行させる場合に、図６に示す表示を介在させる。すなわち、表示制御部２１は、図３、図６及び図５に示す順に第１表示装置３０に表示させる。
【００３９】
図６は、図３に示した回転操作スイッチ１１の左側押圧操作時における第１表示装置３０の表示画像を示す第２の図である。回転操作スイッチ１１を介して、選択中の温度項目（選択項目）から第１表示装置３０に表示される画像上において隣合う風量項目（他の選択項目）に変更する操作があった場合、表示制御部２１は、温度項目（変更元の選択項目）と風量項目（変更先の選択項目）との画像３１，３２間に選択項目の移動変更を示す複数の線模様の画像（移動画像）３７を表示させる。ここで、画像３１，３２間とは、それぞれの画像３１，３２の中心点３１ａ，３２ａ間をいう。よって、複数の線模様の画像３７は、図６に示すようにいずれか一方の画像３１に重なっていてもよいし、双方に重なっていてもよい。さらに、図６では画像３１，３２の中心点３１ａ，３２ａ間に複数の線模様の画像３７の全てが収まっているが、全てに限らず、その一部のみが収まっていてもよい。
【００４０】
なお、複数の線模様の画像３７とは、波型を表現した画像であって、より具体的にはある色（例えば白）に近づくグラデーションと、ある色から背景色に近づくグラデーションとを繰り返す連続画像である。また、複数の線模様の画像３７は、変更元となる温度項目の画像３２の中心点３２ａから放射状に広がる円弧状の複数の線３７ａ〜３７ｄによって構成されている。このような複数の線模様の画像３７を表示させるため、操作者には移動変更を示す画像が認識されることとなり、操作者に対して操作した感覚を視覚的に伝えることができる。
【００４１】
加えて、表示制御部２１は、複数の線模様の画像３７を、温度項目（変更元の選択項目）の画像３２から風量項目（変更先の選択項目）の画像３１に向かって順次表示する。すなわち、表示制御部２１は、初期的に最も画像３２側に位置する第１線模様の画像３７ａを表示し、次いで、第２線模様の画像３７ｂも表示し、その後第３及び第４縞模様の画像３７ｃ，３７ｄを順に表示する。このようにすることにより、より一層操作者に対して操作した感覚を視覚的に伝えることができる。
【００４２】
このようにして、本実施形態に係る車両用操作表示装置１によれば、選択中の選択項目から第１表示装置３０に表示される画像上において隣合う他の選択項目に変更する操作があった場合、変更元の選択項目と変更先の選択項目との画像３１，３２間に選択項目の移動変更を示す複数の線模様の画像３７を表示させるため、操作者には移動変更を示す複数の線模様の画像３７が認識されることとなり、操作者に対して操作した感覚を視覚的に伝えることができる。
【００４３】
また、変更元の選択項目と変更先の選択項目との画像間に並ぶ複数の線模様の画像３７を表示するため、変更元から変更先への移動を印象付ける画像を表示することとなり、一層操作者に対して操作した感覚を視覚的に伝えることができる。
【００４４】
また、表示制御部２１は、計器画像の表示領域内において、温度項目、風量項目、及び風向項目の画像３１〜３３を含むヒーコン画像を表示させる。このため、ヒーコン画像は、例えば計器画像と並んで、又は、計器画像の一部又は全部が消去されて消去された領域内に表示されることとなる。ここで、計器画像は車両運転者にとって視認し易い箇所に表示されていることから、ヒーコン画像についても車両運転者にとって視認し易い箇所に表示されることとなり、エアコン設定の選択項目の移動について、より一層操作者に対して操作した感覚を視覚的に伝えることができる。
【００４５】
以上、実施形態に基づき本発明を説明したが、本発明は上記実施形態に限られるものではなく、本発明の趣旨を逸脱しない範囲で、変更を加えてもよい。
【００４６】
例えば、本実施形態に係る車両用操作表示装置は、ナビなどの画像表示に上記実施形態を適用してもよい。従って、エアコンの設定に関する複数の選択項目からいずれか１つを選択する場合に限らず、例えばナビにおける行先項目からいずれか１つを選択する操作を行った場合等に上記実施形態を適用してもよい。
【００４７】
また、図６に示す例においては、温度項目の画像３２から風量項目の画像３１への移動操作を行った場合に、複数の線模様の画像３７を表示したが、風量項目の画像３１から温度項目の画像３２への移動操作を行った場合にも、複数の線模様の画像３７を表示することはいうまでもない。このとき、複数の線模様の画像３７は、変更元が線３７ａ側となり変更先が線３７ｄ側となることが好ましいが、逆向きであっても問題はない。
【００４８】
加えて、温度項目の画像３２から風向項目の画像３３への移動操作を行った場合、及び、風向項目の画像３３から温度項目の画像３２への移動操作を行った場合にも、複数の線模様の画像３７を表示することはいうまでもない。
【００４９】
さらに、上記実施形態では複数の線模様の画像３７を表示することとしたが、特にこれに限らず、他の画像を表示するようにしてもよい。図７は、図３に示した回転操作スイッチ１１の左側押圧操作時における第１表示装置３０の表示画像を示す第３の図である。
【００５０】
表示制御部２１は、例えば図４に示す表示から、図５に示す表示に移行させる場合に、図７に示す表示を介在させる。すなわち、表示制御部２１は、枠画像（移動画像）３６を風量項目の画像３１と温度項目の画像３２との間に表示させる。このとき、表示制御部２１は、風量項目の画像３１の中心点３１ａと温度項目の画像３２の中心点３２ａとの中間点Ｃよりも隔たった位置（画像３２側に隔たる位置に限らない）に枠画像３６を表示させる。これにより、枠画像３６の中心点を中間点Ｃ上に表示させる場合よりも、一層温度項目の画像３２から風量項目の画像３１への移動感をより演出することができる。
【符号の説明】
【００５１】
１      ：車両用操作表示装置
１０    ：操作部
１１    ：回転操作スイッチ（方向スイッチ）
１２ａ〜１２ｆ  ：押しボタン
２０    ：制御部
２１    ：表示制御部（表示制御手段）
３０    ：第１表示装置（液晶ディスプレイ）
３１〜３３    ：選択項目の画像
３１ａ，３２ａ  ：中心点
３６    ：枠画像（移動画像）
３７    ：複数の線模様の画像（移動画像）
４０    ：第２表示装置
５０    ：車内機器
【図１】
0006343544.tif 000002
【図２】
0006343544.tif 000003
【図３】
0006343544.tif 000004
【図４】
0006343544.tif 000005
【図５】
0006343544.tif 000006
【図６】
0006343544.tif 000007
【図７】
0006343544.tif 000008